(57)【特許請求の範囲】
【請求項１】
原稿をプラテンへ給送する給送ローラと、
前記給送ローラから給送された原稿の画像を、前記プラテンを介して読み取る画像読取手段と、
前記プラテンを介して前記画像読取手段と対向配置され、搬送される原稿を案内する読取ガイド部と、
前記画像読取手段により画像が読み込まれた原稿を機外に排出する排出部と、を備え、
前記読取ガイド部は、
前記給送ローラから給送された原稿を前記プラテンに沿って案内する第１ローラと、前記第１ローラの下流側に配置された第２ローラと、前記第１ローラ及び前記第２ローラの回転軸方向に延びると共に、前記プラテンに沿って搬送される原稿を案内する案内板と、前記給送ローラの回転軸を中心に前記第１ローラを揺動可能に支持すると共に、前記第１ローラを前記プラテンに向けて付勢する第１揺動アームと、前記第１ローラの回転軸を中心に前記第２ローラを揺動可能に支持すると共に、前記第２ローラを前記プラテンに向けて付勢する第２揺動アームと、を有し、
前記第２揺動アームは、前記プラテンに突き当たることで前記第１ローラ及び前記第２ローラと前記プラテンとのギャップを一定距離に保持する突き当て部を有し、
前記案内板は、前記第１ローラと前記第２ローラの間に配置されると共に、前記第１ローラ及び前記第２ローラの回転軸の両端部及び前記両端部の間に位置する回転軸上の少なくとも１か所でそれぞれ支持される、
ことを特徴とする画像読取装置。
【請求項２】
前記案内板は、白基準板である、
ことを特徴とする請求項１に記載の画像読取装置。
【請求項３】
請求項１又は２に記載の画像読取装置と、
前記画像読取装置で読み取られた画像をシートに形成する画像形成部と、を備えた、
ことを特徴とする画像形成装置。
【発明の詳細な説明】
【技術分野】
【０００１】
本発明は、原稿の画像情報を読み取る画像読取装置及びこれを備える画像形成装置に関する。
【背景技術】
【０００２】
従来、セットされた原稿をプラテンガラス上の画像読取位置に送り、画像読取位置で画像情報を読み取った後、原稿を排出する原稿送り装置（Ａｕｔｏ  Ｄｏｃｕｍｅｎｔ  Ｆｅｅｄｅｒ）を備えた画像読取装置が知られている。
【０００３】
画像読取装置は、画像読取手段を画像読取位置の下方に移動させた後、ランプユニットから光を出射し、画像読取位置で原稿をプラテンガラスに沿って搬送させて原稿を走査する。そして、その反射光を画像読取手段で検出して原稿の画像情報を読み取る。そのため、画像読取装置は、搬送される原稿の浮き上がりにより生じる画像ボケやカブリ等の発生を防止するために、反射光を検出して画像情報を読み取るにあたり、画像読取位置での原稿の浮き上がりを規制する必要がある。
【０００４】
これに対しては、ローラで原稿を抑えながらプラテンガラス上に原稿を案内すると共に、プラテンガラスと対向配置された読取ガイド部で原稿の浮き上がりを規制する画像読取装置が開示されている（例えば、特許文献１参照）。画像読取装置の読取ガイド部は、プラテンガラスに沿って原稿を案内するプラテンローラと、プラテンガラス上を案内される原稿をプラテンガラスに密着させる規制板と、を備えて構成されている。
【先行技術文献】
【特許文献】
【０００５】
【特許文献１】特開２００３−１８９０６９号公報
【発明の概要】
【発明が解決しようとする課題】
【０００６】
しかしながら、特許文献１に開示の画像読取装置は、プラテンガラスと対向配置される読取ガイド部の規制板が長手方向に細長い形状に形成されているため、規制板が長手方向に反りを生じさせ易い。また、原稿搬送時の振動により規制板が曲げ振動を起こす場合がある。そのため、プラテンガラスと規制板との間隔が安定せず、例えば、非定型サイズの原稿や穴あき原稿等を読み取った場合、光量の変化によりカブリや白抜けが発生するおそれがある。
【０００７】
これに対しては、規制板の短手方向の長さ（横幅）を長くして規制板の反りや曲げ振動に対する強度を向上させることが考えられる。しかし、規制板の短手方向の長さを長くすると、これに合わせてプラテンガラスも大きくする必要があるため、装置全体が大きくなってしまうという問題がある。
【０００８】
そこで、本発明は、原稿の浮き上がりを規制する読取ガイド部を大きくすることなく読取ガイド部の反りや振動等の発生を好適に抑制し、画像品質を向上可能な画像読取装置及びこれを備える画像形成装置を提供することを目的とする。
【課題を解決するための手段】
【０００９】
本発明は、原稿をプラテンへ給送する給送ローラと、前記給送ローラから給送された原稿の画像を、前記プラテンを介して読み取る画像読取手段と、前記プラテンを介して前記画像読取手段と対向配置され、搬送される原稿を案内する読取ガイド部と、前記画像読取手段により画像が読み込まれた原稿を機外に排出する排出部と、を備え、前記読取ガイド部は、前記給送ローラから給送された原稿を前記プラテンに沿って案内する第１ローラと、前記第１ローラの下流側に配置された第２ローラと、前記第１ローラ及び前記第２ローラの回転軸方向に延びると共に、前記プラテンに沿って搬送される原稿を案内する案内板と、前記給送ローラの回転軸を中心に前記第１ローラを揺動可能に支持すると共に、前記第１ローラを前記プラテンに向けて付勢する第１揺動アームと、前記第１ローラの回転軸を中心に前記第２ローラを揺動可能に支持すると共に、前記第２ローラを前記プラテンに向けて付勢する第２揺動アームと、を有し、前記第２揺動アームは、前記プラテンに突き当たることで前記第１ローラ及び前記第２ローラと前記プラテンとのギャップを一定距離に保持する突き当て部を有し、前記案内板は、前記第１ローラと前記第２ローラの間に配置されると共に、前記第１ローラ及び前記第２ローラの回転軸の両端部及び前記両端部の間に位置する回転軸上の少なくとも１か所でそれぞれ支持される、ことを特徴とする画像読取装置に関する。
【発明の効果】
【００１０】
本発明は、原稿を案内するローラ部の複数個所で、原稿をプラテンガラスに密着させる規制板を支持することにより、規制板の反りや振動を抑制し、形成される画像の品質を向上させることができる。
【図面の簡単な説明】
【００１１】
【図１】本発明の実施形態に係る画像読取装置を示す断面図である。
【図２】図１に示す画像読取装置の読取ガイド部を示す斜視図である。
【図３】図２に示す読取ガイド部の分解組立図である。
【図４】プラテンガラスの上方に位置する読取ガイド部の側面図である。
【図５】プラテンガラスの上方に位置する読取ガイド部の断面図である。
【図６】プラテンガラスの上方に位置する読取ガイド部の断面図である。
【発明を実施するための形態】
【００１２】
以下、本発明の実施形態に係る画像読取装置１について、図面を参照しながら説明する。先ず、本実施形態に係る画像読取装置１の全体構成について、図１を参照しながら説明する。図１は、本発明の実施形態に係る画像読取装置１を示す断面図である。
【００１３】
図１に示すように、画像読取装置１は、シート状の原稿Ｐを給送する原稿送り部２と、原稿送り部２により給送された原稿Ｐを載置するプラテンとしてのプラテンガラス１６１と、を備える。また、画像読取装置１は、プラテンガラス１６１に載置された原稿Ｐの画像の読み込みを行う画像読取手段としてのリーダ部１５０と、原稿Ｐを固定的に載置する載置台ガラス３と、載置台ガラス３に載置された原稿Ｐを押える圧板１５と、を備える。
【００１４】
原稿送り部２は、原稿Ｐを積載する原稿トレイ４と、原稿トレイ４に積載された原稿Ｐを給送する給送ローラ５と、原稿Ｐを１枚ずつ分離する分離ローラ８と、原稿Ｐの先端を揃えて搬送するレジストローラ対１１と、を備える。また、原稿送り部２は、原稿をプラテンガラス１６１に搬送する給送部としての第１リードローラ１２と、原稿をプラテンガラス１６１に密着させる読取ガイド部２４と、読み取りの終了した原稿を搬送する第２リードローラ１４と、を備える。更に、原稿送り部２は、読み取りの終了した原稿Ｐを機外に排出する排出部としての排出ローラ対１８と、読み取りの終了した原稿Ｐが排出される排出トレイ１０と、を備える。
【００１５】
原稿トレイ４は、原稿Ｐの幅方向（原稿Ｐの搬送方向と直交する方向）にスライド自在に配置された一対の規制板（図示せず）を備える。原稿トレイ４は、不図示の規制板が原稿トレイ４に積載される原稿Ｐの幅方向を規制することにより、原稿Ｐの給送時における搬送安定性を確保している。
【００１６】
給送ローラ５は、原稿トレイ４の上方に設けられており、作業者による原稿Ｐのセット作業を阻害しないようにホームポジション（図１に示す実線位置）に位置している。そして、原稿Ｐの給送動作が開始されると、給送ローラ５は、ホームポジションから給送位置（図１に示す破線位置）に移動し、原稿Ｐの上面に当接して原稿Ｐを給送する。なお、給送ローラ５は、不図示のアームに軸支されており、アームを揺動することにより上下方向に移動する。
【００１７】
分離ローラ８は、給送ローラ５の下流に設けられており、給送ローラ５の回転駆動に連動して対向配置された分離パッド６を押圧しながら回転することで給送ローラ５により給送される原稿Ｐを１枚ずつ分離して搬送する。分離パッド６は、分離ローラ８よりも摩擦係数が小さいゴム材料により形成されている。
【００１８】
レジストローラ対１１は、分離ローラ８の下流に設けられており、分離ローラ８にて１枚ずつ分離して搬送される原稿Ｐの先端をニップ部に突き当て、原稿Ｐにループを生じさせることにより原稿Ｐの先端を揃える。その後、レジストローラ対１１は、回転して原稿Ｐをプラテンガラス１６１に向かって搬送する。
【００１９】
第１リードローラ１２は、レジストローラ対１１の下流に設けられており、レジストローラ対１１で先端が揃えられた原稿Ｐをプラテンガラス１６１に向かって搬送する。読取ガイド部２４は、第１リードローラ１２の下流に設けられており、第１リードローラ１２によってプラテンガラス１６１に搬送された原稿Ｐを、プラテンガラス１６１に密着させた状態でプラテンガラス１６１に沿って案内する。
【００２０】
第２リードローラ１４は、読取ガイド部２４の下流に設けられており、読取ガイド部２４により案内され、読み取りが終了した原稿Ｐを搬送する。排出ローラ対１８は、第２リードローラ１４の下流に設けられており、第２リードローラ１４により搬送された原稿Ｐを機外に排出する。排出トレイ１０は、排出ローラ対１８により排出された原稿Ｐを積載するように収容する。
【００２１】
載置台ガラス３は、原稿Ｐを１枚ずつ固定的に載置する場所であり、圧板１５は、載置台ガラス３と対向するように原稿送り部２に保持されている。
【００２２】
リーダ部１５０は、プラテンガラス１６１及び載置台ガラス３を保持するリーダ部本体１５０ａと、原稿Ｐに光を照射するランプ１５２と、ランプ１５２に照射された光に対応する原稿Ｐからの反射光を誘導する複数のミラー１５３，１５５，１５６と、を備える。また、リーダ部１５０は、複数のミラー１５３，１５５，１５６によって誘導された反射光を集光するレンズ１５７と、レンズ１５７で集光された反射光を光電変換して画像信号として出力するＣＣＤ１５８とを備える。
【００２３】
リーダ部本体１５０ａは、原稿送り部２を載置台ガラス３が開閉自在となるように支持する。また、リーダ部本体１５０ａは、プラテンガラス１６１を介して読取ガイド部２４の下方にランプ１５２等が位置するようにランプ１５２等を収容する。
【００２４】
ランプ１５２及びミラー１５３は、第１光学台１５９に取り付けられており、ミラー１５５及びミラー１５６は、第２光学台１５１に取り付けられている。第１光学台１５９及び第２光学台１５１は、リーダ部本体１５０ａの内部に収容されている。また、第１光学台１５９及び第２光学台１５１は、ワイヤ（図示せず）によってモータ（図示せず）に結合されており、モータの回転駆動により載置台ガラス３と平行に移動制御される。第１光学台１５９及び第２光学台１５１は、ポジションセンサ（図示せず）により検知される位置を基準として、モータを正回転又は逆回転することにより移動し、載置台ガラス３に固定的に載置された原稿Ｐを光学的に走査する。
【００２５】
ＣＣＤ１５８は、ミラー１５３，１５５，１５６を介してレンズ１５７に導かれ、レンズ１５７によってＣＣＤ１５８に集光された反射光を光電変換し、電子的な画像信号として出力する。
【００２６】
次に、本実施形態に係る画像読取装置１の読取ガイド部２４について、図２から図６を参照しながら具体的に説明する。図２は、図１に示す画像読取装置１の読取ガイド部２４を示す斜視図である。図３は、図２に示す読取ガイド部２４の分解組立図である。図４は、プラテンガラス１６１の上方に位置する読取ガイド部２４の側面図である。図５は、プラテンガラス１６１の上方に位置する読取ガイド部２４の断面図である。図６は、プラテンガラス１６１の上方に位置する読取ガイド部２４の断面図である。
【００２７】
図２に示すように、読取ガイド部２４は、プラテンガラス１６１に沿って原稿を搬送するローラ部としてのプラテンローラ対１００と、一対の第１揺動アーム２４ｃ，２４ｃと、一対の第２揺動アーム２４ｇ，２４ｇと、案内板としての白基準板１０３と、を備える。
【００２８】
プラテンローラ対１００は、第１ローラとしての第２プラテンローラ１０５と、第２プラテンローラ１０５の下流側に設けられ、第２ローラとしての第１プラテンローラ１０４と、を備える。第１プラテンローラ１０４及び第２プラテンローラ１０５は、モータ、駆動プーリ及びタイミングベルト等を有する駆動伝達部（図示せず）に接続されており、第１リードローラ１２と同じ速度で回転駆動されている。
【００２９】
第１プラテンローラ１０４は、原稿Ｐを搬送するローラ部１０４ａと、ローラ部１０４ａが固着される回転軸１０４ｂとを備える。ローラ部１０４ａは、ゴム部材により形成されており、固着される回転軸１０４ｂの軸方向における略中央に、回転軸１０４ｂを露出したスリット部１０４ｃが設けられている。回転軸１０４ｂは、金属材料により形成されており、回転軸１０４ｂに固着したローラ部１０４ａを回転させる。
【００３０】
第２プラテンローラ１０５は、原稿Ｐを搬送するローラ部１０５ａと、ローラ部１０５ａが固着される回転軸１０５ｂとを備える。ローラ部１０５ａは、ゴム部材により形成されており、固着される回転軸１０５ｂの軸方向における略中央に、回転軸１０５ｂが露出したスリット部１０５ｃが設けられている。回転軸１０５ｂは、金属材料により形成されており、回転軸１０５ｂに固着したローラ部１０５ａを回転させる。
【００３１】
図３に示すように、第１揺動アーム２４ｃ，２４ｃは、第１プラテンローラ１０４及び第２プラテンローラ１０５のそれぞれが回転自在となるように、回転軸１０４ｂ及び回転軸１０５ｂの先端に取り付けられている。また、第１揺動アーム２４ｃ，２４ｃは、一端が第１揺動アーム２４ｃに係合し、他端が第２揺動アーム２４ｇに係合した付勢ばね１０１（例えば、圧縮ばね）により、第２プラテンローラ１０５の回転軸１０５ｂを回転中心として時計回りに付勢されている。
【００３２】
図４に示すように、第１揺動アーム２４ｃは、プラテンローラ対１００とプラテンガラス１６１との距離（ギャップ）を一定に保つ第１突き当て部２４ｂ及び第２突き当て部２４ｆと、を備える。第１突き当て部２４ｂ及び第２突き当て部２４ｆは、プラテンガラス１６１に突き当たることで、第１プラテンローラ１０４とプラテンガラス１６１とのギャップ、及び第２プラテンローラ１０５とプラテンガラス１６１とのギャップを保持する。
【００３３】
プラテンローラ対１００とプラテンガラス１６１とのギャップ量としては、例えば、０．１５〜０．５ｍｍ程度である。ギャップ量は、プラテンガラス１６１上において、原稿Ｐの浮き規制及び搬送性を両立するところで決められる。また、ギャップ量が０．１５ｍｍ以下であると、厚紙原稿の場合、原稿Ｐが搬送される際に読取ガイド部２４にショックが発生する場合がある。また、搬送負荷が増大することにより、搬送速度にブレが発生し、画像ブレの要因になるおそれがある。
【００３４】
また、ギャップ量が０．５ｍｍ以上であるとプラテンガラス１６１における原稿Ｐの浮きが発生し、画像の読取中に原稿Ｐの位置がばらつき（浮きの発生の有り無し）、原稿Ｐの速度のバラつきや、輝度レベルの変動が発生する。これにより、画像ブレや画像カブリ、ムラ等の発生原因となるおそれがある。本実施形態においては、第１プラテンローラ１０４及び第２プラテンローラ１０５と、プラテンガラス１６１とのギャップが、０．３ｍｍとなるように設定している。
【００３５】
第２揺動アーム２４ｇは、第２プラテンローラ１０５及び第１リードローラ１２が回転自在となるように、第２プラテンローラ１０５の回転軸１０５ｂ及び第１リードローラ１２の回転軸の先端に取り付けられている。また、第２揺動アーム２４ｇは、一端が第２揺動アーム２４ｇに取り付けられ、他端が原稿送り部２に取り付けられた付勢ばね１０２（例えば、ねじりコイルばね）により第１リードローラ１２の回転軸を回転中心として時計回りに付勢されている。
【００３６】
付勢ばね１０１（圧縮バネ）と付勢ばね１０２（ねじりコイルバネ）の付勢力により、第１突き当て部２４ｂ及び第２突き当て部２４ｆは、プラテンガラス１６１に突き当たる。つまり、第２プラテンローラ１０５を回転自在に保持すると共に、揺動自在な第２揺動アーム２４ｇが付勢ばね１０２でプラテンガラス側に付勢されることで、第２プラテンローラ１０５の回転軸１０５ｂに近接した第２突き当て部２４ｆが載置台ガラスに突き当る。
【００３７】
さらに、第１プラテンローラ１０４を回転自在に保持すると共に、第２プラテンローラ１０５の回転軸１０５ｂに揺動自在に保持された第１揺動アーム２４ｃが、付勢ばね１０１（圧縮バネ）によってプラテンガラス１６１側に付勢されている。そのため、第１プラテンローラ１０４の回転軸に近接した第１突き当て部２４ｂが、プラテンガラス１６１に突き当る。
【００３８】
第１突き当て部２４ｂ及び第２突き当て部２４ｆは、第１プラテンローラ１０４及び第２プラテンローラ１０５の回転軸の両端近傍の第１揺動アーム２４ｃに設けられ、プラテンガラス１６１に対して突き当たる。そのため、第１プラテンローラ１０４とプラテンガラス１６１とのギャップ、及び第２プラテンローラ１０５とプラテンガラス１６１とのギャップを一定距離に保持することができる。
【００３９】
図３、図５及び図６に示すように、白基準板１０３は、第１プラテンローラ１０４の回転軸１０４ｂ及び第２プラテンローラ１０５の回転軸１０５ｂと同方向（回転軸方向）に延び、第１プラテンローラ１０４と第２プラテンローラ１０５の間に配置されている。白基準板１０３は、長方形状の白色板１０３ａと、第１プラテンローラ１０４の回転軸１０４ｂの複数個所に支持される第１係合部１０３ｂと、第２プラテンローラ１０５の回転軸１０５ｂの複数個所に支持される第２係合部１０３ｃと、を備える。
【００４０】
白色板１０３ａは、合成樹脂材料により形成されており、第１プラテンローラ１０４の回転軸１０４ｂ及び第２プラテンローラ１０５の回転軸１０５ｂと同方向（回転軸方向）に延びると共に、プラテンガラス１６１と略平行になるように形成されている。また、白色板１０３ａは、プラテンガラス１６１と対向する側が平面となっており、プラテンガラス１６１に搬送される原稿Ｐがプラテンガラス１６１に密着するように原稿Ｐをガイドする。
【００４１】
第１係合部１０３ｂは、白基準板１０３の両端部と、長手方向における略中央部に設けられており、第１プラテンローラ１０４の回転軸１０４ｂの両端部及び回転軸上に形成されたスリット部１０４ｃに回転軸１０４ｂが回転自在となるように係合する。
【００４２】
第２係合部１０３ｃは、白基準板１０３の両端と、長手方向における略中央部に設けられており、第２プラテンローラ１０５の回転軸１０５ｂの両端部及び回転軸上に形成されたスリット部１０５ｃに回転軸１０５ｂが回転自在となるように係合する。
【００４３】
次に、画像読取装置１の動作について、図１を参照しながら説明する。作業者による原稿Ｐの画像読取指示がなされると、給送ローラ５が揺動して原稿Ｐの上面に当接し、原稿Ｐを給送する。給送ローラ５により給送された原稿Ｐは、分離ローラ８により１枚ずつ分離され、レジストローラ対１１に搬送される。レジストローラ対１１では、搬送された原稿Ｐの先端をレジストローラ対１１のニップ部に突き当て、原稿Ｐにループを生じさせることにより原稿Ｐの先端を揃える。先端が揃えられた原稿Ｐは、その後、レジストローラ対１１が回転することにより、原稿Ｐを原稿配置部２に向かって搬送する。
【００４４】
次に、第１リードローラ１２により、プラテンガラス１６１に向けて原稿Ｐが搬送される。プラテンガラス１６１に原稿Ｐが搬送されると、プラテンガラス１６１上で原稿Ｐの画像がリーダ部１５０により読み取られる。ここで、白基準板１０３は、第１プラテンローラ１０４の回転軸１０４ｂ及び第２プラテンローラ１０５の回転軸１０５ｂそれぞれの両端部及び略中央部（３か所）で支持されている。そのため、白色板１０３ａの原稿搬送時の振動による曲げ振動や反りが抑制される。
【００４５】
リーダ部１５０での原稿Ｐの読み取りが完了すると、第２リードローラ１４が読取ガイド部２４により搬送され、読み取りが終了した原稿Ｐを排出ローラ対１８に案内する。第２リードローラ１４により排出ローラ対１８に案内された原稿Ｐは、排出ローラ対１８により機外排出され、排出トレイ１０によって積載するように収容される。
【００４６】
なお、両面モードの場合には、排出ローラ対１８で排出を行わず、スイッチバックして、上方のシートパス９に案内してレジストローラ対１１に向けて搬送する。レジストローラ対１１に到達すると上記と同様に原稿Ｐの裏面の読取が行われる。
【００４７】
以上のような構成を有する本実施形態に係る画像読取装置１によれば、以下のような効果を奏する。本実施形態に係る画像読取装置１は、白基準板１０３が第１プラテンローラ１０４の回転軸１０４ｂ及び第２プラテンローラ１０５の回転軸１０５ｂそれぞれの両端部及び略中央部（３か所）で支持されている。そのため、白色板１０３ａの原稿搬送時の振動による曲げ振動や反りが抑制される。これにより、プラテンガラス１６１と白色板１０３ａとの間隔を安定させることができる。その結果、例えば、非定型サイズの原稿や穴あき原稿等を読み取った場合においても、光量の変化によりカブリや白抜けの発生を抑制することができる。
【００４８】
また、プラテンガラス１６１と白色板１０３ａとは長手方向におけるギャップ及び平行性が担保され、例えば、薄紙時の画像読取での白色レベルの低下を防止することができる。また、白基準板１０３の横幅を大きくすることなく、白基準板１０３の反り、振動等に対する強度を向上させることができる。
【００４９】
また、読取ガイド部２４の横幅を広くする必要がないため、画像読取装置１を大きくすることなく第１プラテンローラ１０４と第２プラテンローラ１０５の間隔を狭くすることが可能になる。これにより、画像の読み取り位置での原稿Ｐの載置台ガラス３からの浮きを好適に押えることが可能となる。その結果、原稿Ｐのカブリを防止すると共に、原稿Ｐによるプラテンガラス１６１のセルフクリーニング効果を確保し、スジ画像等の発生を抑制することができる。
【００５０】
以上、本発明の実施形態について説明したが、本発明は上述した実施形態に限定されるものではない。また、本発明の実施形態に記載された効果は、本発明から生じる最も好適な効果を列挙したに過ぎず、本発明による効果は、本発明の実施形態に記載されたものに限定されない。
【００５１】
例えば、本実施形態においては、白基準板１０３は、第１プラテンローラ１０４の回転軸１０４ｂ及び第２プラテンローラ１０５の回転軸１０５ｂのそれぞれの両端部及び中央部（３箇所）で支持される構成としたが、本発明においてはこれに限定されない。例えば、第１プラテンローラ１０４の回転軸１０４ｂ及び第２プラテンローラ１０５の回転軸１０５ｂの両端部及びその間の２箇所以上に支持される構成であってもよい。
【００５２】
また、本実施形態においては、白基準板１０３は、第１プラテンローラ１０４の回転軸１０４ｂと第２プラテンローラ１０５の回転軸１０５ｂの両方に３箇所で支持される構成としたが本発明においてはこれに限定されない。例えば、第１プラテンローラ１０４の回転軸１０４ｂと第２プラテンローラ１０５の回転軸１０５ｂのいずれか一方の回転軸に３箇所以上で支持される構成であってもよい。いずれか一方の回転軸に３箇所以上で支持されることにより、白基準板１０３の白色板１０３ａの反りを少なくすることができる。そして、他方の回転軸によって白基準板１０３が３箇所未満で支持される構成であってもよい。例えば、白基準板１０３が、第１プラテンローラ１０４の回転軸１０４ｂに長手方向における３箇所で支持され、第２プラテンローラ１０５の回転軸１０５ｂによって長手方向の両端の２箇所で支持されるようにしてもよい。
【００５３】
また、本実施形態においては、画像読取装置１を用いて説明したが、本発明においてはこれに限定されない。本実施形態に係る画像読取装置１及び画像形成部を備えた画像形成装置にも好適に使用することができる。
【符号の説明】
【００５４】
１    画像読取装置
２    原稿送り部
３    載置台ガラス
５    給紙ローラ
１２    第１リードローラ（給送ローラ）
１４    第２リードローラ
１５    圧板（圧板部）
１８    排出ローラ対（排出部）
２４    読取ガイド部
１００    プラテンローラ対（ローラ部）
１０３    白基準板（案内板）
１０３ａ    白色板
１０３ｂ    第１係合部
１０３ｃ    第２係合部
１０４    第１プラテンローラ（第２ローラ）
１０４ｃ    スリット部
１０５    第２プラテンローラ（第１ローラ）
１０５ｃ    スリット部
１５０    リーダ部（画像読取手段）
１６１    プラテンガラス（プラテン）
Ｐ    原稿
【図１】
0005783713.tif 000002
【図２】
0005783713.tif 000003
【図３】
0005783713.tif 000004
【図４】
0005783713.tif 000005
【図５】
0005783713.tif 000006
【図６】
0005783713.tif 000007